(57)【要約】【課題】ランニングコストを低減できる画像形成装置、トナー排出方法及びプログラムを提供する。【解決手段】画像形成装置は、トナー像を担持する像担持体と、トナー及びキャリアを含む二成分系の現像剤を収容し、像担持体にトナーを供給する現像部と、像担持体上のトナー像を用紙に転写する転写部と、像担持体上に残存するトナーを除去するクリーニング部材と、トナー排出条件に従って、現像部におけるトナー排出動作を制御する制御部と、を備える。制御部は、クリーニング部材の交換時期が、他の前記消耗品の交換時期と合うように、トナー排出条件を設定する。【選択図】図７
2019159255.tif 000002
【特許請求の範囲】
【請求項１】
トナー像を担持する像担持体と、
トナー及びキャリアを含む二成分系の現像剤を収容し、前記像担持体に前記トナーを供給する現像部と、
前記像担持体上の前記トナー像を用紙に転写する転写部と、
前記像担持体上に残存する前記トナーを除去するクリーニング部材と、
トナー排出条件に従って、前記現像部におけるトナー排出動作を制御する制御部と、を備え、
前記制御部は、前記クリーニング部材の交換時期が、他の消耗品の交換時期と合うように、前記トナー排出条件を設定することを特徴とする画像形成装置。
【請求項２】
前記制御部は、前記クリーニング部材の交換時期が、前記現像剤の交換時期と合うように、前記トナー排出条件を設定することを特徴とする請求項１に記載の画像形成装置。
【請求項３】
前記制御部は、前記クリーニング部材の交換時期と、前記他の消耗品の交換時期との差が、初期の前記トナー排出条件に従って前記トナー排出動作を実行した場合よりも小さくなるように、前記トナー排出条件を変更することを特徴とする請求項１又は２に記載の画像形成装置。
【請求項４】
前記制御部は、初期の前記トナー排出条件を基準として、段階的に前記トナー排出条件を変更したときに、前記クリーニング部材の交換時期と、前記他の消耗品の交換時期との差が、最も小さくなるように、前記トナー排出条件を変更することを特徴とする請求項３に記載の画像形成装置。
【請求項５】
前記トナー排出条件は、前記トナー排出動作におけるトナー排出量に関する条件及び前記トナー排出動作を実行するトナー排出タイミングに関する条件を含み、
前記トナー排出動作は、第１のトナー排出タイミングで紙間において実行される第１のトナー排出モードを有し、
前記制御部は、前記第１のトナー排出モードにおける前記トナー排出量に関する条件を変更することを特徴とする請求項１から４のいずれか一項に記載の画像形成装置。
【請求項６】
前記トナー排出条件は、前記トナー排出動作におけるトナー排出量に関する条件及び前記トナー排出動作を実行するトナー排出タイミングに関する条件を含み、
前記トナー排出動作は、第２のトナー排出タイミングでジョブ間において実行される第２のトナー排出モードを有し、
前記制御部は、前記第２のトナー排出タイミングを変更することを特徴とする請求項１から５のいずれか一項に記載の画像形成装置。
【請求項７】
前記制御部は、前記現像剤及び前記クリーニング部材のうちの一方の交換時期までの期間が所定値以下となった場合に、前記トナー排出条件を変更することを特徴とする請求項１から６のいずれか一項に記載の画像形成装置。
【請求項８】
トナー像を担持する像担持体と、トナー及びキャリアを含む二成分系の現像剤を収容し、前記像担持体に前記トナーを供給する現像部と、前記像担持体上の前記トナー像を用紙に転写する転写部と、前記像担持体上に残存する前記トナーを除去するクリーニング部材と、を備える画像形成装置におけるトナー排出方法であって、
トナー排出条件に従って、前記現像部におけるトナー排出動作を制御する工程と、
前記クリーニング部材の交換時期が、他の消耗品の交換時期と合うように、前記トナー排出条件を設定する工程と、を含むことを特徴とするトナー排出方法。
【請求項９】
トナー像を担持する像担持体と、トナー及びキャリアを含む二成分系の現像剤を収容し、前記像担持体に前記トナーを供給する現像部と、前記像担持体上の前記トナー像を用紙に転写する転写部と、前記像担持体上に残存する前記トナーを除去するクリーニング部材と、を備える画像形成装置のコンピューターに、
トナー排出条件に従って、前記現像部におけるトナー排出動作を制御する処理と、
前記クリーニング部材の交換時期が、他の消耗品の交換時期と合うように、前記トナー排出条件を設定する処理と、を実行させることを特徴とするプログラム。
【発明の詳細な説明】
【技術分野】
【０００１】
本発明は、電子写真方式の画像形成装置、トナー排出方法及びプログラムに関する。
【背景技術】
【０００２】
一般に、電子写真プロセス技術を利用した画像形成装置（プリンター、複写機、ファクシミリ、複合機等）においては、一様に帯電した感光体（例えば感光ドラム）に対して、入力画像データに基づく光が照射（露光）されることにより、感光体表面に静電潜像が形成される。そして、静電潜像が形成された感光体に現像部からトナーが供給されることにより、静電潜像が可視化されてトナー像が形成される。このトナー像が、直接又は中間転写体（例えば、中間転写ベルト）を介して間接的に用紙に転写された後、定着部で加熱、加圧されることにより、用紙に画像が形成される。
【０００３】
上述した電子写真方式の画像形成装置において、トナーとキャリアを含む二成分系の現像剤を用いる場合、トナーとキャリアが現像部内で攪拌されることに伴い、外添剤がトナー表面に埋没したり、トナーから離脱したりして、トナーが劣化することが知られている。特に、低カバレッジ（例えば、５％以下のカバレッジ）で画像形成が行われる場合、トナーが入れ替わらずに現像部内で攪拌され続けることになるため、トナーの劣化が顕著に現れる。トナーが劣化すると、帯電特性が低下するため、画像の乱れ、トナー飛散、トナーのこぼれが発生する虞がある。そこで、従来の画像形成装置では、現像部内でストレスを受けたトナー（以下、「劣化トナー」と称する）は、強制的に排出されるようになっている。なお、新しいトナーは、現像部内のトナー量に応じて、適宜補給される。通常、トナーの帯電量が所定値以下になると、現像剤の交換が行われる。
【０００４】
本明細書において、カバレッジを表す数値は、Ａ４サイズの用紙に画像形成した場合に換算した印字率であり、１枚当たりのトナー消費量を表す。また、画像形成時のトナー消費量に対応するカバレッジを「原稿カバレッジ」、劣化トナーのトナー排出量に対応するカバレッジを「排出カバレッジ」と称する。
【０００５】
現像部から排出された劣化トナーは、像担持体用のクリーニング部によって除去される。クリーニング部に設けられたクリーニング部材は、トナーが通過し、外添剤がすり抜けるときに摩耗する。通常、トナー通過量が所定値以上になると、クリーニング部材の交換が行われる。
【０００６】
上述したように、画像形成に伴い、現像剤やクリーニング部材を含む消耗品の性能が低下していくと、寿命を迎えて交換が行われる。その際には、サービスマンが設置場所に訪問して消耗品の交換を行うこととなる。ここで、現像剤とクリーニング部材を同時に交換できるように、それぞれの寿命が設定されていれば、２つを同時に交換することができる（例えば、特許文献１参照）。特許文献１には、画像形成装置における消耗品（例えば、像担持体、帯電装置、二成分系現像剤のキャリア及びクリーニング部材）の寿命を一致させることが開示されている。
【先行技術文献】
【特許文献】
【０００７】
【特許文献１】特開２００６−１１４８２号公報
【発明の概要】
【発明が解決しようとする課題】
【０００８】
しかしながら、低カバレッジで画像形成が行われて、劣化トナーの排出量が多くなると、現像剤の寿命よりも先にクリーニング部材の寿命がきてしまい、交換時期が合わなくなる。現像剤とクリーニング部材の交換時期が近いが、同時期にはならない場合、サービスマンは、短期間に２回訪問するか、又は、訪問回数を減らすために交換時期が早い方に合わせてもう一方も交換することになる。したがって、現像剤とクリーニング部材の交換時期が同じである場合に比較して、ランニングコスト（保守費用、消耗品費用を含む）が増大してしまう。
【０００９】
本発明の目的は、ランニングコストを低減できる画像形成装置、トナー排出方法及びプログラムを提供することである。
【課題を解決するための手段】
【００１０】
本発明の一側面を反映した画像形成装置は、
トナー像を担持する像担持体と、
トナー及びキャリアを含む二成分系の現像剤を収容し、前記像担持体に前記トナーを供給する現像部と、
前記像担持体上の前記トナー像を用紙に転写する転写部と、
前記像担持体上に残存する前記トナーを除去するクリーニング部材と、
トナー排出条件に従って、前記現像部におけるトナー排出動作を制御する制御部と、を備え、
前記制御部は、前記クリーニング部材の交換時期が、他の消耗品の交換時期と合うように、前記トナー排出条件を設定することを特徴とする。
【００１１】
本発明の一側面を反映したトナー排出方法は、
トナー像を担持する像担持体と、トナー及びキャリアを含む二成分系の現像剤を収容し、前記像担持体に前記トナーを供給する現像部と、前記像担持体上の前記トナー像を用紙に転写する転写部と、前記像担持体上に残存する前記トナーを除去するクリーニング部材と、を備える画像形成装置におけるトナー排出方法であって、
トナー排出条件に従って、前記現像部におけるトナー排出動作を制御する工程と、
前記クリーニング部材の交換時期が、他の消耗品の交換時期と合うように、前記トナー排出条件を設定する工程と、を含むことを特徴とする。
【００１２】
本発明の一側面を反映したプログラムは、
トナー像を担持する像担持体と、トナー及びキャリアを含む二成分系の現像剤を収容し、前記像担持体に前記トナーを供給する現像部と、前記像担持体上の前記トナー像を用紙に転写する転写部と、前記像担持体上に残存する前記トナーを除去するクリーニング部材と、を備える画像形成装置のコンピューターに、
トナー排出条件に従って、前記現像部におけるトナー排出動作を制御する処理と、
前記クリーニング部材の交換時期が、他の消耗品の交換時期と合うように、前記トナー排出条件を設定する処理と、を実行させることを特徴とする。
【発明の効果】
【００１３】
本発明によれば、クリーニング部材の交換時期を他の消耗品の交換時期に合わせることができるので、画像形成装置のランニングコストを低減することができる。
【図面の簡単な説明】
【００１４】
【図１】図１は、実施の形態に係る画像形成装置の全体構成を示す図である。
【図２】図２は、画像形成装置の制御系の主要部を示す図である。
【図３】図３は、トナー排出量と、現像剤及びクリーニング部材の寿命との関係の一例を示す図である。
【図４】図４Ａ、図４Ｂは、トナー排出が行われないときの現像剤及びクリーニング部材の性能直線を示す図である。
【図５】図５Ａ、図５Ｂは、ＲＦＰモードでトナー排出が行われるときの現像剤及びクリーニング部材の性能直線を示す図である。
【図６】図６Ａ、図６Ｂは、トナーリフレッシュモードでトナー排出が行われるときの現像剤及びクリーニング部材の性能直線を示す図である。
【図７】図７は、ＲＦＰモードにおけるトナー排出制御処理の一例を示すフローチャートである。
【図８】図８Ａ、図８Ｂは、ＲＦＰモードにおいてトナー排出量が変更されたときの現像剤及びクリーニング部材の性能直線を示す図である。
【図９】図９は、トナーリフレッシュモードにおけるトナー排出制御処理の一例を示すフローチャートである。
【図１０】図１０Ａ、図１０Ｂは、トナーリフレッシュモードにおいてトナー排出タイミングが変更されたときの現像剤及びクリーニング部材の性能直線を示す図である。
【発明を実施するための形態】
【００１５】
以下、本発明の実施の形態を図面に基づいて詳細に説明する。
【００１６】
図１は、実施の形態に係る画像形成装置１の全体構成を示す図である。図２は、画像形成装置１の制御系の主要部を示す図である。
【００１７】
図１、２に示す画像形成装置１は、電子写真プロセス技術を利用した中間転写方式のカラー画像形成装置である。画像形成装置１は、感光ドラム２１３上に形成されたＹ（イエロー）、Ｍ（マゼンタ）、Ｃ（シアン）、Ｋ（ブラック）の各色トナー像を中間転写ベルト２２１に一次転写し、中間転写ベルト２２１上で４色のトナー像を重ね合わせた後、用紙に二次転写することにより、画像を形成する。本実施の形態では、画像形成装置１には、ＣＭＹＫの４色に対応する感光ドラム２１３を中間転写ベルト２２１の走行方向（鉛直方向）に直列配置し、中間転写ベルト２２１に一回の手順で各色トナー像を順次転写させる縦型タンデム方式が採用されている。
【００１８】
図１、２に示すように、画像形成装置１は、画像読取部１１、操作表示部１２、画像処理部１３、給紙部１４、排紙部１５、用紙搬送部１６、記憶部１７、通信部１８、画像形成部２０及び制御部３０等を備える。
【００１９】
画像読取部１１は、ＡＤＦ（Auto Document Feeder）と称される自動原稿給紙装置１１１及び原稿画像走査装置１１２（スキャナー）等を備える。
【００２０】
自動原稿給紙装置１１１は、原稿トレイに載置された原稿を搬送機構により搬送して原稿画像走査装置１１２へ送り出す。自動原稿給紙装置１１１により、原稿トレイに載置された多数枚の原稿の画像（両面を含む）を連続して読み取ることが可能となる。
【００２１】
原稿画像走査装置１１２は、自動原稿給紙装置１１１からコンタクトガラス上に搬送された原稿又はコンタクトガラス上に載置された原稿を光学的に走査し、原稿からの反射光をＣＣＤ（Charge Coupled Device）センサーの受光面上に結像させ、原稿画像を読み取る。画像読取部１１は、原稿画像走査装置１１２による読取結果に基づいて入力画像データを生成する。この入力画像データには、画像処理部１３において所定の画像処理が施される。
【００２２】
操作表示部１２は、例えば、タッチパネル付きのフラットパネルディスプレイで構成されるフラットパネルディスプレイとしては、液晶ディスプレイ、有機ＥＬディスプレイなどを用いることができる。操作表示部１３は、表示部１２１及び操作部１２２を有する。
【００２３】
表示部１２１は、制御部３０から入力される表示制御信号に従って、各種操作画面、画像の状態表示、各機能の動作状況等の表示を行う。
【００２４】
操作部１２２は、テンキー、スタートキー等の各種操作キーを備え、ユーザーによる各種入力操作を受け付けて、操作信号を制御部３０に出力する。ユーザーは、操作表示部１２を操作して、原稿設定、画質設定、倍率設定、応用設定、出力設定、及び用紙設定などの画像形成に関する設定を行うことができる。
【００２５】
画像処理部１３は、入力画像データに対して、初期設定又はユーザー設定に応じたデジタル画像処理を行う回路等を備える。例えば、画像処理部１３は、制御部３０の制御下で、階調補正データに基づいて階調補正を行う。また、画像処理部１３は、入力画像データに対して、色補正、シェーディング補正、濃度補正等の各種補正処理を施す。これらの処理が施された画像データに基づいて、画像形成部２０が制御される。
【００２６】
画像形成部２０は、入力画像データに基づいて、Ｙ成分、Ｍ成分、Ｃ成分、Ｋ成分の各有色トナーによるトナー像を形成するためのトナー像形成部２１、トナー像形成部２１により形成されたトナー像を用紙に転写する中間転写部２２、及び用紙に転写されたトナー像を定着する定着部２３等を備える。
【００２７】
トナー像形成部２１は、Ｙ成分用、Ｍ成分用、Ｃ成分用、Ｋ成分用の４つのトナー像形成部２１Ｙ、２１Ｍ、２１Ｃ、２１Ｋで構成される。トナー像形成部２１Ｙ、２１Ｍ、２１Ｃ、２１Ｋは、同様の構成を有するので、図示及び説明の便宜上、共通する構成要素は同一の符号で示し、それぞれを区別する場合には符号にＹ、Ｍ、Ｃ、Ｋを添えて示すこととする。図１では、Ｙ成分用のトナー像形成部２１Ｙの構成要素についてのみ符号が付され、その他のトナー像形成部２１Ｍ、２１Ｃ、２１Ｋの構成要素についての符号は省略されている。
【００２８】
トナー像形成部２１は、露光装置２１１、現像装置２１２、感光ドラム２１３、帯電装置２１４、及びドラムクリーニング装置２１５等を備える。トナー像形成部２１は、一次転写後に感光ドラム２１３の表面に残留する残留電荷を除去するための除電装置を備えていてもよい。
【００２９】
感光ドラム２１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置２１１による露光を受けて一対の正電荷と負電荷を発生する。電荷輸送層は、正孔輸送性材料（電子供与性含窒素化合物）を樹脂バインダー（例えばポリカーボネート樹脂）に分散させたものからなり、電荷発生層で発生した正電荷を電荷輸送層の表面まで輸送する。
【００３０】
帯電装置２１４は、例えばスコロトロン帯電装置やコロトロン帯電装置等のコロナ放電発生器で構成される。帯電装置２１４は、コロナ放電によって感光ドラム２１３の表面を一様に負極性に帯電させる。
【００３１】
露光装置２１１は、例えば複数の発光ダイオード（ＬＥＤ：Light Emitting Diode）が直線状に配列されたＬＥＤアレイ、個々のＬＥＤを駆動するためのＬＰＨ駆動部（ドライバーＩＣ）、及びＬＥＤアレイからの放射光を感光ドラム２１３上に結像させるレンズアレイ等を有するＬＥＤプリントヘッドで構成される。ＬＥＤアレイの１つのＬＥＤが、画像の１ドットに対応する。
【００３２】
露光装置２１１は、感光ドラム２１３に対して各色成分の画像に対応する光を照射する。光の照射を受けて感光ドラム２１３の電荷発生層で発生した正電荷が電荷輸送層の表面まで輸送されることにより、感光ドラム２１３の表面電荷（負電荷）が中和される。これにより、感光ドラム２１３の表面には、周囲との電位差により各色成分の静電潜像が形成される。
【００３３】
現像装置２１２は、各色成分の現像剤（本実施の形態では、トナーと磁性キャリアとを含む二成分系現像剤）を収容し、感光ドラム２１３の表面に各色成分のトナーを付着させることにより、静電潜像を可視化してトナー像を形成する。具体的には、現像剤担持体（符号略、例えば、現像ローラー）に現像バイアス電圧が印加され、感光ドラム２１３と現像剤担持体との間に電界が形成される。感光ドラム２１３と現像剤担持体との電位差によって、現像剤担持体上の帯電トナーが感光ドラム２１３の表面の露光部に移動し、付着する。
【００３４】
ドラムクリーニング装置２１５は、感光ドラム２１３の表面に摺接するドラムクリーニングブレード（符号略）等を有し、一次転写後に感光ドラム２１３の表面に残存する転写残トナーを除去する。
【００３５】
中間転写部２２は、中間転写ベルト２２１、一次転写ローラー２２２、複数の支持ローラー２２３、二次転写ローラー２２４、及びベルトクリーニング装置２２５等を備える。
【００３６】
中間転写ベルト２２１は、トナー像を担持する像担持体である。中間転写ベルト２２１は無端状ベルトで構成され、複数の支持ローラー２２３にループ状に張架される。複数の支持ローラー２２３のうちの少なくとも一つは駆動ローラーで構成され、その他は従動ローラーで構成される。駆動ローラーが回転することにより、中間転写ベルト２２１は一定速度で走行する。
【００３７】
一次転写ローラー２２２は、各色成分の感光ドラム２１３に対向して、中間転写ベルト２２１の内周面側に配置される。中間転写ベルト２２１を挟んで、一次転写ローラー２２２が感光ドラム２１３に圧接されることにより、感光ドラム２１３から中間転写ベルト２２１へトナー像を転写するための一次転写ニップが形成される（以下、「一次転写部」と称する）。
【００３８】
二次転写ローラー２２４は、複数の支持ローラー２２３のうちの一つに対向して、中間転写ベルト２２１の外周面側に配置される。複数の支持ローラー２２３のうち二次転写ローラー２２４に対向して配置される支持ローラー２２３はバックアップローラーと呼ばれる。中間転写ベルト２２１を挟んで、二次転写ローラー２２４がバックアップローラーに圧接されることにより、中間転写ベルト２２１から用紙へトナー像を転写するための二次転写ニップが形成される（以下、「二次転写部」と称する）。なお、二次転写ローラー２２４に代えて、二次転写ローラーを含む複数の支持ローラーに、二次転写ベルトがループ状に張架された構成（いわゆるベルト式の二次転写ユニット）を採用してもよい。
【００３９】
一次転写部において、感光ドラム２１３上のトナー像が中間転写ベルト２２１に順次重ねて一次転写される。具体的には、一次転写ローラー２２２に一次転写バイアスを印加し、中間転写ベルト２２１の裏面側（一次転写ローラー２２２と当接する側）にトナーと逆極性の電荷を付与することにより、トナー像は中間転写ベルト２２１に静電的に転写される。
【００４０】
その後、用紙が二次転写部を通過する際、中間転写ベルト２２１上のトナー像が用紙に二次転写される。具体的には、二次転写ローラー２２４に二次転写バイアスを印加し、用紙の裏面側（二次転写ローラー２２４と当接する側）にトナーと逆極性の電荷を付与することにより、トナー像は用紙に静電的に転写される。トナー像が転写された用紙は定着部２３に向けて搬送される。
【００４１】
ベルトクリーニング装置２２５は、中間転写ベルト２２１の表面に摺接するベルトクリーニングブレード２２６等を有する。ベルトクリーニング装置２２５は、二次転写後に中間転写ベルト２２１の表面に残留する転写残トナーを除去する。劣化トナーを排出する際に中間転写ベルト２２１に形成されたトナー像は、ベルトクリーニング装置２２５によって除去される。
【００４２】
定着部２３は、用紙の定着面（トナー像が形成されている面）側に配置される定着面側部材を有する上側定着部２３１、用紙の裏面（定着面の反対の面）側に配置される裏面側支持部材を有する下側定着部２３２、定着面側部材を加熱する加熱源２３３、及び裏面側支持部材を定着面側部材に対して圧接する圧接離間部（図示略）等を備える。
【００４３】
例えば、上側定着部２３１がローラー加熱方式である場合は定着ローラーが定着面側部材となり、ベルト加熱方式である場合は定着ベルトが定着面側部材となる。また例えば、下側定着部２３２がローラー加圧方式である場合は加圧ローラーが裏面側支持部材となり、ベルト加圧方式である場合は加圧ベルトが裏面側支持部材となる。図１は、上側定着部２３１がローラー加熱方式で構成され、下側定着部２３２がローラー加圧方式で構成される場合について示している。
【００４４】
上側定着部２３１は、定着面側部材を回転させるための上側定着部用駆動部（図示略）を有する。制御部３０によって上側定着部用駆動部の動作が制御されることにより、定着面側部材は所定の速度で回転（走行）する。下側定着部２３２は、裏面側支持部材を回転させるための下側定着部用駆動部（図示略）を有する。制御部３０によって下側定着部用駆動部の動作が制御されることにより、裏面側支持部材は所定の速度で回転（走行）する。なお、定着面側部材が裏面側支持部材の回転に従動する場合は、上側定着部用駆動部は必要ない。
【００４５】
加熱源２３３は、定着面側部材の内部又は近傍に配置される。制御部３０は、定着面側部材に近接して配置される定着温度検出部（図示略）の検出結果に基づいて、定着温度が定着制御温度となるように加熱源２３３の出力を制御する。制御部３０によって加熱源２３３の出力が制御されることにより、定着面側部材が加熱され、定着制御温度（例えば定着目標温度、アイドリング温度）で保持される。
【００４６】
圧接離間部（図示略）は、裏面側支持部材を定着面側部材に向けて押圧する。圧接離間部は、例えば裏面側支持部材を支持する軸の両端部に当接し、軸の両端をそれぞれ独立して押圧する。これにより、定着ニップにおける軸方向のニップ圧のバランスを調整することができる。制御部３０によって圧接離間部（図示略）の動作が制御され、定着面側部材に裏面側支持部材が圧接されることにより、用紙を狭持して搬送する定着ニップが形成される。
【００４７】
トナー像が二次転写され、通紙経路に沿って搬送されてきた用紙は、定着部２３を通過する際に加熱、加圧される。これにより、用紙にトナー像が定着する。
【００４８】
給紙部１４は、給紙トレイ１４１及び手差し給紙部１４２を有する。給紙トレイ１４１には、坪量やサイズ等に基づいて識別された枚葉紙（規格用紙、特殊用紙）が予め設定された紙種ごとに収容される。給紙トレイ１４１及び手差し給紙部１４２には、複数の給紙ローラー部が配置される。手差し給紙部１４２には、大容量の外部給紙装置（図示略）を接続することもできる。給紙部１４は、給紙トレイ１４１又は手差し給紙部１４２から給紙された用紙を用紙搬送部１６に送り込む。
【００４９】
排紙部１５は、例えば排紙ローラー部１５１等を有し、用紙搬送部１６から送出された用紙を機外に排紙する。
【００５０】
用紙搬送部１６は、主搬送部１６１、スイッチバック搬送部１６２、裏面印刷用搬送部１６３、及び通紙経路切替部（図示略）等を備える。用紙搬送部１６の一部は、例えば定着部２３とともに１つのユニットに組み込まれ、画像形成装置１に着脱可能に装着されてもよい。
【００５１】
主搬送部１６１は、用紙を挟持して搬送する用紙搬送要素として、ループローラー部及びレジストローラー部を含む複数の搬送ローラー部を有する。主搬送部１６１は、給紙トレイ１４１又は手差し給紙部１４２から給紙された用紙を搬送して画像形成部２０（中間転写部２２、定着部２３）に通紙するとともに、画像形成部２０（定着部２３）から送出された用紙を排紙部１５又はスイッチバック搬送部１６２に向けて搬送する。
【００５２】
スイッチバック搬送部１６２は、定着部２３から送出された用紙を一旦停止させ、搬送方向を逆転させて、排紙部１５又は裏面印刷用搬送部１６３に搬送する。
【００５３】
裏面印刷用搬送部１６３は、スイッチバック搬送部１６２でスイッチバックされた用紙を主搬送部１６１に循環搬送する。主搬送部１６１には、裏面が画像形成面となった状態で用紙が通紙されることになる。
【００５４】
通紙経路切替部（図示略）は、定着部２３から送出された用紙をそのままの状態で排紙するか、反転させて排紙するか、又は裏面印刷用搬送部１６３に搬送するかによって通紙経路を切り替える。具体的には、制御部３０が、画像形成処理の処理内容（片面／両面印刷、フェイスアップ／フェイスダウン排紙等）に基づいて、通紙経路切替部（図示略）の動作を制御する。
【００５５】
給紙部１４から給紙された用紙は、主搬送部１６１によって画像形成部２０に搬送される。そして、用紙が転写ニップを通過する際、感光ドラム２１３上のトナー像が用紙の第１面（表面）に一括して転写され、定着部２３において定着処理が施される。画像が形成された用紙は、排紙部１５により機外に排紙される。用紙の両面に画像を形成する場合、第１面に画像が形成された用紙はスイッチバック搬送部１６２に送出され、裏面印刷用搬送部１６３を通って主搬送部１６１に戻ることにより反転されて、第２面（裏面）に画像が形成される。
【００５６】
制御部３０は、演算／制御装置としてのＣＰＵ（Central Processing Unit）３１、主記憶装置としてのＲＯＭ（Read Only Memory）３２及びＲＡＭ（Random Access Memory）３３等を有する。ＲＯＭ３１には、基本プログラムや基本的な設定データが記憶される。ＣＰＵ３１は、ＲＯＭ３２又は記憶部１７から処理内容に応じたプログラムを読み出してＲＡＭ３２に展開し、展開したプログラムを実行することにより、画像形成装置１の各ブロックの動作を集中制御する。
【００５７】
なお、制御部３０が実行する処理の一部又は全部は、処理に応じて設けられたＤＳＰ（Digital Signal Processor）、ＡＳＩＣ（Application Specific Integrated Circuit）、ＰＬＤ（Programmable Logic Device）等の電子回路によって実行されてもよい。
【００５８】
記憶部１７は、例えば、不揮発性の半導体メモリ（いわゆるフラッシュメモリ）やハードディスクドライブ等の補助記憶装置である。記憶部１７は、ＣＤ（Compact Disc）、ＤＶＤ（Digital Vversatile Disc）等の光ディスク、ＭＯ（（Magneto-Optical disk）等の光磁気ディスクを駆動して情報を読み書きするディスクドライブであってもよい。また例えば、記憶部１７は、ＵＳＢメモリ、ＳＤカード等のメモリカードであってもよい。
【００５９】
記憶部１７は、例えば、トナー排出制御プログラムや、画像形成装置１の各ブロックの動作を制御する際に参照されるルックアップテーブル等を記憶する。これらのデータは、ＲＯＭ３２に記憶されてもよい。トナー排出制御用のプログラムは、例えば当該プログラムが格納されたコンピューター読取可能な可搬型記憶媒体（光ディスク、光磁気ディスク、及びメモリカードを含む）を介して提供される。また例えば、トナー排出制御用のプログラムは、当該プログラムを保有するサーバーから、ネットワークを介してダウンロードにより提供されてもよい。
【００６０】
通信部１８は、例えばＮＩＣ（Network Interface Card）、ＭＯＤＥＭ（MOdulator-DEModulator）、ＵＳＢ（Universal Serial Bus）等の各種インターフェースである。通信部１８には、ＮＦＣ（Near Field Communication）やBluetooth（登録商標）等の近距離無線通信用の通信インターフェースを適用することもできる。制御部３０は、通信部１８を介して、有線／無線ＬＡＮ（Local Area Network）等のネットワークに接続された外部装置（例えばパーソナルコンピューター）との間で、各種情報の送受信を行う。制御部３０は、例えば、外部装置から送信された印刷ジョブデータを受信し、この印刷ジョブデータに基づいて入力画像データを作成する。印刷ジョブデータは、所定のページ記述言語（ＰＤＬ：Page Description Language）で記述され、例えば図形や写真等の画像オブジェクトのデータ及び文字や記号等のテキストオブジェクトのデータを含む。
【００６１】
画像形成装置１では、トナーとキャリアが現像装置２１２内で攪拌されることに伴い、外添剤がトナー表面に埋没したり、トナーから離脱したりして、トナーが劣化する。そこで、画像形成装置１では、現像装置２１２内でストレスを受けた劣化トナーは、所定のトナー排出条件に従って強制的に排出され、新しいトナーと入れ替わるようになっている。なお、新しいトナーは、現像装置２１２内のトナー量（トナー濃度）に応じて、適宜補給される。トナー排出動作は、制御部３０によって制御される。
【００６２】
ここで、トナー排出条件は、トナー排出動作におけるトナー排出量に関する条件、及び、トナー排出動作を実行するトナー排出タイミングに関する条件を含む。
【００６３】
画像形成装置１は、トナー排出動作を実行するモードとして、第１のトナー排出タイミング（本実施の形態では１枚の画像形成ごと）で紙間において実行される第１のトナー排出モード（以下、「ＲＦＰモード」と称する）と、第２のトナー排出タイミングでジョブ間において実行される第２のトナー排出モード（以下、「トナーリフレッシュモード」と称する）を有する。
【００６４】
ＲＦＰモードでは、中間転写ベルト２２１において、先行する用紙に転写されるトナー像と後続の用紙に転写されるトナー像との間（いわゆる紙間）に劣化トナーを排出するためのトナー像（以下、「排出用トナー像」と称する）が形成され、強制的に劣化トナーの排出が行われる。排出用トナー像は、先行する用紙が二次転写部を通過してから後続の用紙が二次転写部に到達するまでの間（いわゆる紙間）に転写部を通過するので、用紙には転写されず、クリーニング装置２２５で回収される。
【００６５】
ＲＦＰモードでのトナー排出動作は、ほぼ毎プリントの紙間で実行される。ＲＦＰモードでは、所定期間（例えば、前回のカバレッジ算出から今回のカバレッジ算出までの期間）に行われた画像形成の原稿カバレッジに基づいて、トナー排出量（排出カバレッジ）が決定される。すなわち、所定期間に発生すると想定される劣化トナー量と、画像形成によって消費されたトナー消費量との差分が、排出用トナー像として形成され、排出される。
【００６６】
なお、ＲＦＰモードでは、所定期間における平均原稿カバレッジと目標カバレッジとの差分に相当する量を算出してトナー排出量を制御してもよいし、１枚ごとに目標カバレッジと原稿カバレッジとの差分に相当する量を算出し、これを積算してトナー排出量を制御してもよい。ここで、目標カバレッジとは、現像装置２１２内のトナーが適度に入れ替わり、劣化トナーによる不具合が生じない程度のカバレッジである。一般に、原稿カバレッジが５％以上であれば、劣化トナーは発生しないとみなされる。つまり、この場合の目標カバレッジは、５％である。
【００６７】
本実施の形態では、ＲＦＰモードにおいて、所定期間に行われた画像形成の原稿カバレッジが平均で５％以下（目標カバレッジ以下）であることが検知された場合に、紙間において黒ベタのトナー帯（排出用トナー像）が形成される。このとき、画像形成によるトナー消費量と劣化トナーの排出量との合計が、５％のカバレッジ（目標カバレッジ）に相当する量となるように、トナー排出が行われるものとする。つまり、トナー排出条件の一つであるトナー排出量に関する条件として、「目標カバレッジが５％」という条件が設定される。
【００６８】
トナーリフレッシュモードでのトナー排出動作は、ＲＦＰモードに比較して長周期（例えば、２００ｋｐ印刷ごと）で実行される。トナーリフレッシュモードは、ＲＦＰモードで排出可能なトナー量に制約があり、劣化トナーを十分に排出できない場合に有効である。
【００６９】
トナーリフレッシュモードでは、一連の画像形成を指示する印刷ジョブの実行中に印刷枚数が所定数に到達し、当該印刷ジョブが終了した後（いわゆるジョブ間）に、中間転写ベルト２２１に排出用トナー像が形成され、強制的に劣化トナーの排出が行われる。この場合は、ＲＦＰモードに比較して大量の劣化トナーが排出されるので、劣化トナーの排出とともに新しいトナーが補給される。
【００７０】
トナーリフレッシュモードにおいて、トナー排出動作が実行されるまでの期間は、ＲＦＰモードでトナーを排出する場合に比較して現像剤の劣化速度は速いが、トナー排出が行われると現像剤の寿命は一気に回復する。逆に、クリーニングブレード２２６については、トナー排出が行われるまでの期間は、ＲＦＰモードでトナーを排出する場合に比較して劣化速度は緩やかであるが、トナー排出が行われると一気に加速する。
【００７１】
トナーリフレッシュモードでは、例えば、所定期間に行われた画像形成の原稿カバレッジが５％以下（目標カバレッジ以下）であることが検知された場合に、５％との差分に相当する量が積算されていき、ある時点（第２のトナー排出タイミング）において排出不足分のトナーがまとめて排出されるように、トナー排出が行われる。
【００７２】
なお、ＲＦＰモードとリフレッシュモードは、それぞれ単独で使用してもよいし、併用することもできる。
【００７３】
ここで、原稿カバレッジが目標カバレッジ以上であり、画像形成によってトナーが適度に消費されれば、劣化トナーは発生しないとみなすことができる。つまり、１枚当たりのトナー消費量が所定量以下である場合、言い換えると、原稿カバレッジが目標カバレッジ以下である場合に、ＲＦＰモード又はトナーリフレッシュモードによるトナー排出が必要となる。トナー排出量は、１枚当たりのトナー消費量が所定量以上となるように、すなわち、１枚当たりのカバレッジが目標カバレッジ以上となるように設定される。本実施の形態では、目標カバレッジが５％である場合について説明する。
【００７４】
ところで、現像剤の寿命（印刷可能な枚数）は、トナー帯電量に基づいて算出される。トナー帯電量は、キャリア及びトナーの劣化度合いによって決まる。原稿カバレッジが目標カバレッジよりも低く、低カバレッジの画像が形成される場合は、トナーの劣化度合いが大きくなるため、トナーの劣化度合いによって現像剤の寿命が決まる。通常、現像剤のトナー帯電量が所定値以下になると、現像剤の交換が行われる。
【００７５】
一方、クリーニングブレード２２６は、トナーの外添剤がすり抜けるときに摩耗する。そのため、クリーニングブレード２２６の寿命は、トナーの通過量で決まる。特に、ＲＦＰモード又はトナーリフレッシュモードで排出された劣化トナーは、用紙に転写されずに中間転写ベルト２２１上に残存するため、クリーニングブレード２２６に与える負荷が大きくなる。クリーニングブレード２２６の摩耗が進むと、中間転写ベルト２２６上に残存する未転写トナーの除去が不完全となり、クリーニング不良が発生する虞がある。通常、トナー通過量が所定値以上になると、クリーニングブレード２２６の交換が行われる。
【００７６】
上述したように、画像形成装置１の使用に伴い現像剤やクリーニングブレード２２６の性能が低下していくと、寿命を迎えて交換が行われる。その際には、サービスマンが設置場所に訪問して交換を行うこととなる。ここで、現像剤とクリーニングブレード２２６を同時に交換できるように、それぞれの寿命が設定されていれば、２つを同時に交換することができる。
【００７７】
図３は、トナー排出量と、現像剤及びクリーニングブレード２２６の寿命との関係の一例を示す図である。図３において、横軸であるトナー排出量は、カバレッジ［％］で表されている。図３において、トナー排出量０％とは、原稿カバレッジが０％であり、トナーの排出も行われない（排出カバレッジが０％）ことを意味する。また、トナー排出量５％とは、画像形成によるトナー消費量と劣化トナーの排出量の合計が５％のカバレッジに相当することを意味する。例えば、原稿カバレッジが３％である場合、２％の排出カバレッジで劣化トナーが排出されることを意味する。
【００７８】
実際には、劣化トナーの排出量は、原稿カバレッジにより変化する。そのため、画像形成の実績（過去の原稿カバレッジ）に基づいて、平均的な劣化トナーの排出量（排出カバレッジの平均値）を算出し、今後も同等の原稿カバレッジで画像形成が行われるものとして、そのときの現像剤及びクリーニングブレード２２６の寿命が推定される。
【００７９】
図３に示す例では、画像形成によるトナー消費及び劣化トナーの排出により、１枚当たりのトナー消費量が５％のカバレッジに相当する場合は、現像剤の寿命は１２００ｋｐ（１２０万枚）となり、クリーニングブレード２２６の寿命は４００ｋｐ（４０万枚）となっている。また、画像形成によるトナー消費及び劣化トナーの排出が行われない場合（現像剤が入れ替わることなく一方的にストレスを受ける場合）は、現像剤の寿命は４００ｋｐ弱となり、クリーニングブレード２２６の寿命は６００ｋｐとなっている。すなわち、図３に示すように、トナー排出量が増大するに伴い、現像剤の寿命は延び、クリーニングブレード２２６の寿命は短くなる。言い換えると、低カバレッジで画像形成が行われる場合、劣化トナーの排出量を低減すると、現像剤の寿命は短くなるが、クリーニングブレード２２６の寿命は延びる。
【００８０】
図４Ａ、図４Ｂは、現像剤及びクリーニングブレード２２６の性能直線の一例を示す図である。図４Ａ、図４Ｂでは、現像剤及びクリーニングブレード２２６が図３に示すような寿命特性を有し、５％以上の原稿カバレッジで画像形成が行われる場合について示している。
【００８１】
図４Ａに示すように、現像剤のトナー帯電量は、印刷枚数が増加するに伴い低下する。トナー帯電量が所定値になった時点が現像剤の交換時期となる。また、図４Ｂに示すように、クリーニングブレード２２６のクリーニング性能は、印刷枚数が増加するに伴い低下する。クリーニングブレード２２６のクリーニング性能は、トナー通過量に依存（反比例）する。クリーニング性能が所定値になった時点が、クリーニングブレード２２６の交換時期となる。
【００８２】
図４Ａ、図４Ｂに示すように、５％以上の原稿カバレッジで画像形成が行われれば、劣化トナーは排出されないので、現像剤の交換時期は１２００ｋｐ印刷時点となり、クリーニングブレード２２６の交換時期は６００ｋｐ印刷時点となる。したがって、現像剤の１回目の交換時期とクリーニングブレード２２６の２回目の交換時期とが同時期になるので、２つを同時に交換することができる。
【００８３】
図５Ａ、図５Ｂは、現像剤及びクリーニングブレード２２６の性能直線の一例を示す図である。図５Ａ、図５Ｂでは、現像剤及びクリーニングブレード２２６が図３に示すような寿命特性を有し、ＲＦＰモードでトナー排出が行われる場合について示している。
【００８４】
図５Ａに示すように、現像剤のトナー帯電量は、５％以上の原稿カバレッジで画像形成が行われトナー排出が行われない場合（図４Ａ参照）と同様に、印刷枚数が増加するに伴い低下する。また、図５Ｂに示すように、クリーニングブレード２２６のクリーニング性能は、印刷枚数が増加するに伴い低下するが、トナー排出によりクリーニングブレード２２６に対する負荷が大きくなるため、トナー排出が行われない場合（図５Ｂの点線）に比較して、低下速度が速くなる。
【００８５】
図６Ａ、図６Ｂは、現像剤及びクリーニングブレード２２６の性能直線の一例を示す図である。図６Ａ、図６Ｂでは、現像剤及びクリーニングブレード２２６が図３に示すような寿命特性を有し、トナーリフレッシュモードでトナー排出が行われる場合について示している。なお、図６Ａ、図６Ｂでは、トナーリフレッシュモードによるトナー排出の実施間隔が２００ｋｐである場合について示している。
【００８６】
図６Ａに示すように、現像剤のトナー帯電量は、５％以上の原稿カバレッジで画像形成が行われる場合又はＲＦＰモードによるトナー排出により５％の目標カバレッジが達成される場合（図６Ａの点線）に比較して、トナー排出が行われるまでは低下速度が速いが、トナー排出に伴い一気に回復する。また、図６Ｂに示すように、クリーニングブレード２２６のクリーニング性能は、５％以上の原稿カバレッジで画像形成が行われる場合又はＲＦＰモードによるトナー排出により５％の目標カバレッジが達成される場合（図６Ｂの点線）に比較して、トナー排出が行われるまでは同等の低下速度であるが、トナー排出に伴い一気に低下する。
【００８７】
また、トナーリフレッシュモードでは、トナー排出の実施間隔が長いほど必要排出量は多くなるため、実施間隔が長ければ、クリーニングブレード２２６の劣化は一気に進む。一方、トナー排出の実施間隔が短ければ、クリーニングブレード２２６の劣化は小さく抑えられるので、クリーニングブレード２２６の寿命を延ばすことができる。
【００８８】
このように、低カバレッジ（例えば、５％以下の原稿カバレッジ）で画像形成が行われると、強制的に劣化トナーの排出が行われる。そのため、初期状態において現像剤とクリーニングブレード２２６の寿命を一致させていても、現像剤の寿命よりも先にクリーニングブレード２２６の寿命がきてしまい、交換時期が合わなくなる。
【００８９】
ここで、上述したように、クリーニングブレード２２６の寿命は、劣化トナーの排出量を低減することにより、延ばすことができる。つまり、クリーニングブレード２２６の交換時期は、トナー排出条件（トナー排出量に関する条件及びトナー排出タイミングに関する条件）を調整することにより、先延ばしにすることができる。本実施の形態では、トナー排出条件を調整することにより、クリーニングブレード２２６の寿命を延ばして、クリーニングブレード２２６の交換時期と他の消耗品（特に、現像剤）の交換時期とができるだけ同時期になるようにしている。これにより、保守コスト及び消耗品コストを含むランニングコストを節減することができる。具体的には、図７又は図９に示すフローチャートに従って、ＲＦＰモード及びトナーリフレッシュモードにおけるトナー排出制御処理が実行される。
【００９０】
図７は、ＲＦＰモードにおけるトナー排出制御処理の一例を示すフローチャートである。この処理は、例えば、画像形成装置１の電源が投入されることに伴い、ＣＰＵ３１がＲＯＭ３２に格納されている所定のプログラムを実行することにより実現される。
【００９１】
なお、画像形成装置１の電源投入に伴い、現像剤及びクリーニングブレード２２６を交換してからの通算印刷枚数、前回のトナー排出動作からの印刷枚数及び画像形成の実績（原稿カバレッジ）、現像剤及びクリーニングブレード２２６の寿命等、トナー排出制御処理で使用される各種パラメーターが取得されるものとする。これらの情報は、例えば、ＲＯＭ３２に記憶されている。
【００９２】
ＲＦＰモードでは、１枚の画像形成ごとに、紙間で排出用トナー像が形成され、強制的に劣化トナーの排出が行われる。現像剤及びクリーニングブレード２２６は、図３、図５Ａ及び図５Ｂに示すような寿命特性を有し、使用開始が同じであるものとする。ＲＦＰモードでは、現像剤とクリーニングブレード２２６の交換時期を合わせるために、トナー排出条件であるトナー排出量に関する条件として、目標カバレッジを最適化する。
【００９３】
図７のステップＳ１０１において、制御部３０は、印刷ジョブを受信したか否かを判定する。印刷ジョブを受信していない場合（ステップＳ１０１で“ＮＯ”）、ステップＳ１０１の処理が繰り返される。印刷ジョブを受信した場合（ステップＳ１０１で“ＹＥＳ”）、ステップＳ１０２の処理に移行する。また、印刷ジョブを受信すると、制御部３０は、印刷ジョブで指示されている画像形成ごとに印刷枚数を加算するとともに、原稿カバレッジを取得する。
【００９４】
ステップＳ１０２において、制御部３０は、目標カバレッジ（トナー排出量に関する条件）の変更処理を行うか否かを判定する。例えば、現像剤又はトナー部材２２６の残り寿命が所定値となった時点で、目標カバレッジの変更処理が行われる。ここでは、現像剤の残り寿命が３００ｋｐ、すなわち、現像剤を交換してからの通算印刷枚数が９００ｋｐとなったときに、目標カバレッジの変更処理が行われるものとする。目標カバレッジの変更処理を行う場合（ステップＳ１０２で“ＹＥＳ”）、ステップＳ１０９の処理に移行する。トナー排出量の変更処理を行わない場合（ステップＳ１０２で“ＮＯ”）、ステップＳ１０３の処理に移行する。
【００９５】
ステップＳ１０３において、制御部３０は、ＲＦＰモードにおける排出カバレッジの算出タイミング（例えば、３０ｓｅｃ）であるか否かを判定する。排出カバレッジの算出タイミングである場合（ステップＳ１０３で“ＹＥＳ”）、ステップＳ１０４の処理に移行する。排出カバレッジの算出タイミングでない場合（ステップＳ１０３で“ＮＯ”）、ステップＳ１０６の処理に移行する。
【００９６】
ステップＳ１０４において、制御部３０は、カバレッジ情報を取得する。このカバレッジ情報は、例えば、前回の排出カバレッジの算出以降に行われた画像形成における原稿カバレッジの平均値であり、画像形成によるトナー消費量を表す。
【００９７】
ステップＳ１０５において、制御部３０は、トナー排出量を設定する。具体的には、原稿カバレッジと排出カバレッジの和が、５％の目標カバレッジとなるように、排出カバレッジが算出される。そして、この排出カバレッジに相当する量が、トナー排出量として設定される。例えば、原稿カバレッジ（平均値）が２％である場合、排出カバレッジは３％となる。なお、ステップＳ１１０において、目標カバレッジが変更された場合には、変更後の目標カバレッジと原稿カバレッジとに基づいて、排出カバレッジが算出され、トナー排出量が設定される。
【００９８】
ステップＳ１０６において、制御部３０は、トナー排出動作を制御する。具体的には、制御部３０は、複数の紙間において黒ベタのトナー帯（排出用トナー像）を形成し、ステップＳ１０５で設定されたトナー排出量の劣化トナーを排出する。
【００９９】
ステップＳ１０７において、制御部３０は、現像剤又はクリーニングブレード２２６の交換時期が到来したか否かを判定する。現像剤及びクリーニングブレード２２６の交換時期は、画像形成によるトナー消費量及び劣化トナーの排出量に基づいて算出される。なお、クリーニングブレード２２６の交換時期は、主に劣化トナーの排出量に依存する。現像剤又はクリーニングブレード２２６の交換時期が到来した場合（ステップＳ１０７で“ＹＥＳ”）、ステップＳ１０８の処理に移行する。現像剤及びクリーニング部材３０の交換時期が到来していない場合（ステップＳ１０７で“ＮＯ”）、ステップＳ１０２の処理に移行する。なお、交換時期が到来する前に印刷ジョブが終了した場合は、ステップＳ１０１の処理に移行する。
【０１００】
ステップＳ１０８において、制御部３０は、現像剤またはクリーニングブレード２２６の交換時期が到来していることを示す交換アラートを出力する。交換アラートは、例えば、表示部１２１における表示、または音声出力部（図示略）からの音声によって行われる。
【０１０１】
ステップＳ１０９において、制御部３０は、クリーニングブレード２２６の交換時期を、トナー排出量の調整により、現像剤の交換時期と同時期にできるか否かを判定する。例えば、制御部３０は、トナー排出を行わず劣化が最小限に抑えられたときのクリーニングブレード２２６の交換時期と、このときの現像剤の交換時期を比較する。そして、クリーニングブレード２２６の交換時期と現像剤の交換時期との差が所定値以下（交換時期が逆転する場合を含む）となる場合に、交換時期を同時期にできると判定する。
【０１０２】
クリーニングブレード２２６の交換時期を現像剤の交換時期に合わせられる場合（ステップＳ１０９で“ＹＥＳ”）、ステップＳ１１０の処理に移行する。クリーニングブレード２２６の交換時期を現像剤の交換時期に合わせられない場合（ステップＳ１０９で“ＮＯ”）、ステップＳ１０３の処理に移行する。クリーニングブレード２２６の交換時期を現像剤の交換時期に合わせられない場合は、目標カバレッジは変更されず、いままでと同様にして排出カバレッジが設定されることとなる。
【０１０３】
ステップＳ１１０において、制御部３０は、クリーニングブレード２２６の交換時期が、現像剤の交換時期に合うように、目標カバレッジを設定する。例えば、初期の排出カバレッジ（ここでは、５％の目標カバレッジを達成する値）を基準として、排出カバレッジを段階的に減少させたときの現像剤及びクリーニングブレード２２６の交換時期を推定する。そして、現像剤の交換時期（寿命）とクリーニングブレード２２６の交換時期（寿命）が最も近くなる場合の排出カバレッジを元に、目標カバレッジを設定する。
【０１０４】
表１は、排出カバレッジ（トナー排出量）を段階的に減少させたときの現像剤及びクリーニングブレード２２６の推定交換時期の一例である。表１では、現像剤の残り寿命が３００ｋｐとなった時点、すなわち、現像剤を交換してからの通算印刷枚数が９００ｋｐとなった時点で、目標カバレッジの変更を行う場合について示している。また、表１では、過去の実績から、５％の目標カバレッジを達成するのに、排出カバレッジの平均が３％である場合（原稿カバレッジの平均が２％である場合）について示している。なお、クリーニングブレード２２６については、印刷枚数が４８０ｋｐとなった時点で１回目の交換が行われたときの２回目の交換時期を、初期からの通算印刷枚数で示している。
【０１０５】
【表１】
2019159255.tif 000003
【０１０６】
表１では、初期の排出カバレッジである３％を基準（倍率１．０）として、所定の倍率（倍率０．９〜０）を乗じて排出カバレッジを段階的に減少させたときの、現像剤とクリーニングブレード２２６の交換時期を示している。例えば、倍率が０．４の場合の排出カバレッジは、３×０．４＝１．２［％］となり、倍率が０．７の場合の排出カバレッジは、３×０．７＝２．１［％］となる。
【０１０７】
表１によると、今後も３％の排出カバレッジで劣化トナーの排出を行い、５％の目標カバレッジを達成した場合、現像剤の交換時期は１２００ｋｐ印刷時点となり、クリーニングブレード２２６の交換時期は９６０ｋｐ印刷時点となる。これに対して、排出カバレッジを減少させた場合、すなわち目標カバレッジを減少させた場合、現像剤の交換時期は早くなり、クリーニングブレード２２６の交換時期は遅くなる。
【０１０８】
表１において、倍率が０．２の場合に、現像剤の交換時期とクリーニングブレード２２６の交換時期が最も近くなる。すなわち、３×０．２＝０．６［％］の排出カバレッジで劣化トナーの排出を行った場合に、現像剤の交換時期とクリーニングブレード２２６の交換時期が最も近くなる。したがって、図７のステップＳ１１０では、原稿カバレッジが２％のときに、排出カバレッジが０．６％となる目標カバレッジ、すなわち、２＋０．６＝２．６［％］が、今後の目標カバレッジとして設定される。
【０１０９】
図７のステップＳ１１０において、目標カバレッジが変更されると、今後は、変更後の目標カバレッジと原稿カバレッジに基づいて排出カバレッジが算出され、排出カバレッジに相当するトナー排出量で劣化トナーの排出が行われる。このときの現像剤及びクリーニングブレード２２６の性能直線を図８Ａ、図８Ｂに示す。図８Ａ、図８Ｂでは、目標カバレッジを変更した後の性能直線を実線で示し、目標カバレッジを変更する前の性能直線を点線で示している。図８Ａ、図８Ｂに示すように、目標カバレッジを変更した場合、現像剤とクリーニングブレード２２６の交換時期が同時期となっており、両方を同時に交換することができるので、保守コストを大幅に低減することができる。
【０１１０】
このように、画像形成装置１は、第１のトナー排出タイミングで紙間において実行されるＲＦＰモード（第１のトナー排出モード）を有する。制御部３０は、クリーニングブレード２２６の交換時期が現像剤の交換時期と合うように、ＲＦＰモードにおける目標カバレッジ（トナー排出量に関する条件）を変更する。
【０１１１】
目標カバレッジを変更して、クリーニングブレード２２６の交換時期を延ばすとともに、現像剤の交換時期を早めることにより、クリーニングブレード２２６の交換時期を現像剤の交換時期に合わせることができる。これにより、現像剤とクリーニングブレード２２６の交換時期が同時期となり、現像剤とクリーニングブレード２２６を同時に交換することができるので、ランニングコストを低減することができる。
【０１１２】
なお、現像剤だけに着目すると、交換時期が早くなるので、現像剤コストが増大することになるが、交換のためのサービスマンの訪問回数が１回で済み保守コストを低減できることを考慮すると、トータルのランニングコストを低減できることになる。
【０１１３】
上述したように、現像剤の交換時期とクリーニングブレード２２６の交換時期との差が最も小さくなるように目標カバレッジを設定した場合に、ランニングコストの低減効果は最大となる。ただし、目標カバレッジを初期値よりも減少させて、現像剤の交換時期とクリーニングブレード２２６の交換時期を近づけるだけでも、交換時期が早くなることによる現像剤コストの増大分より、現像剤とクリーニングブレード２２６を同時に交換することによる保守コストの低減分が大きければ、ランニングコストを低減することができる。
【０１１４】
上述した例では、現像剤の残り寿命が３００ｋｐとなった時点で、目標カバレッジの変更を行っているが、目標カバレッジの変更処理を実行する時期を分散してもよい。また、目標カバレッジを変更した後、以降の画像形成における原稿カバレッジに応じて目標カバレッジを更新してもよい。これにより、現像剤とクリーニングブレード２２６の交換時期を精度よく合わせることができる。
【０１１５】
図９は、トナーリフレッシュモード（図９では「ＴＲＦモード」と表記）におけるトナー排出制御処理の一例を示すフローチャートである。この処理は、例えば、画像形成装置１の電源が投入されることに伴い、ＣＰＵ３１がＲＯＭ３２に格納されている所定のプログラムを実行することにより実現される。
【０１１６】
なお、画像形成装置１の電源投入に伴い、現像剤及びクリーニングブレード２２６を交換してからの通算印刷枚数、前回のトナー排出動作からの印刷枚数及び画像形成の実績（原稿カバレッジ）、現像剤及びクリーニングブレード２２６の寿命等、トナー排出制御処理で使用される各種パラメーターが取得されるものとする。これらの情報は、例えば、ＲＯＭ３２に記憶されている。
【０１１７】
トナーリフレッシュモードでは、ジョブ間に、中間転写ベルト２２１に排出用トナー像が形成され、強制的に劣化トナーの排出が行われる。現像剤及びクリーニングブレード２２６は、図３、図６Ａ及び図６Ｂに示すような寿命特性を有し、使用開始が同じであるものとする。トナーリフレッシュモードでは、現像剤とクリーニングブレード２２６の交換時期を合わせるために、トナー排出条件である第２のトナー排出タイミングの最適化が行われる。
【０１１８】
図９のステップＳ２０１において、制御部３０は、印刷ジョブを受信したか否かを判定する。印刷ジョブを受信していない場合（ステップＳ２０１で“ＮＯ”）、ステップＳ２０１の処理が繰り返される。印刷ジョブを受信した場合（ステップＳ２０１で“ＹＥＳ”）、ステップＳ２０２の処理に移行する。また、印刷ジョブを受信すると、制御部３０は、印刷ジョブで指示されている画像形成ごとに印刷枚数を加算するとともに、原稿カバレッジを取得する。
【０１１９】
ステップＳ２０２において、制御部３０は、トナー排出タイミングの変更処理を行うか否かを判定する。例えば、現像剤又はクリーニングブレード２２６の残り寿命が所定値となった時点で、トナー排出タイミングの変更処理が行われる。ここでは、現像剤の残り寿命が４００ｋｐ、すなわち、現像剤を交換してからの通算印刷枚数が８００ｋｐとなったときに、トナー排出量の変更処理が行われるものとする。トナー排出タイミングの変更処理を行う場合（ステップＳ２０２で“ＹＥＳ”）、ステップＳ２１０の処理に移行する。トナー排出タイミングの変更処理を行わない場合（ステップＳ２０２で“ＮＯ”）、ステップＳ２０３の処理に移行する。
【０１２０】
ステップＳ２０３において、制御部３０は、トナーリフレッシュモードにおけるトナー排出動作を実行するタイミング（第２のトナー排出タイミング）であるか否かを判定する。本実施の形態では、２００ｋｐごとに第２のトナー排出タイミングが到来する。第２のトナー排出タイミングである場合（ステップＳ２０３で“ＹＥＳ”）、ステップＳ２０４の処理に移行する。第２のトナー排出タイミングでない場合（ステップＳ２０３で“ＮＯ”）、ステップＳ２０２の処理に移行する。なお、第２のトナー排出タイミングが到来する前に印刷ジョブが終了した場合は、ステップＳ２０１の処理に移行する。
【０１２１】
ステップＳ２０４において、制御部３０は、現在の印刷ジョブで指示された一連の画像形成が終了したか否かを判定する。現在の印刷ジョブが終了していない場合（ステップＳ２０４で“ＮＯ”）、ステップＳ２０４の処理が繰り返される。現在の印刷ジョブが終了した場合（ステップＳ２０４で“ＹＥＳ”）、ステップＳ２０５の処理に移行する。
【０１２２】
ステップＳ２０５において、制御部３０は、カバレッジ情報を取得する。このカバレッジ情報は、例えば、前回のトナー排出以降に行われた画像形成における原稿カバレッジの平均値であり、画像形成によるトナー消費量を表す。
【０１２３】
ステップＳ２０６において、制御部３０は、トナー排出量を設定する。具体的には、原稿カバレッジと排出カバレッジの和が、５％の目標カバレッジとなるように、排出カバレッジが算出さる。そして、この排出カバレッジに相当する量が、トナー排出量として設定される。例えば、原稿カバレッジ（平均値）が２％である場合、排出カバレッジは３％となる。なお、前回のトナー排出動作以降に行われた画像形成において、原稿カバレッジが５％以下であることが検知された場合に、５％との差分に相当するトナー量（排出不足分）を積算しておき、この積算値がトナー排出量として設定されるようにしてもよい。
【０１２４】
ステップＳ２０７において、制御部３０は、トナー排出動作を制御する。具体的には、制御部３０は、ジョブ間において黒ベタのトナー帯（排出用トナー像）を形成し、ステップＳ２０６で算出されたトナー排出量の劣化トナーをまとめて排出する。
【０１２５】
ステップＳ２０８において、制御部３０は、現像剤又はクリーニングブレード２２６の交換時期が到来したか否かを判定する。現像剤及びクリーニングブレード２２６の交換時期は、画像形成によるトナー消費量及び劣化トナーの排出量に基づいて算出される。なお、クリーニングブレード２２６の交換時期は、主に劣化トナーの排出量に依存する。現像剤又はクリーニング部材３０の交換時期が到来した場合（ステップＳ２０８で“ＹＥＳ”）、ステップＳ２０９の処理に移行する。現像剤及びクリーニング部材３０の交換時期が到来していない場合（ステップＳ２０８で“ＮＯ”）、ステップＳ２０１の処理に移行する。
【０１２６】
ステップＳ２０９において、制御部３０は、現像剤またはクリーニングブレード２２６の交換時期が到来していることを示す交換アラートを出力する。交換アラートは、例えば、表示部１２１における表示、または音声出力部（図示略）からの音声によって行われる。
【０１２７】
ステップＳ２１０において、制御部３０は、クリーニングブレード２２６の交換時期を、トナー排出量の調整により、現像剤の交換時期と同時期にできるか否かを判定する。例えば、制御部３０は、トナー排出動作の実施間隔をいままでの１／２にしたときのクリーニングブレード２２６の交換時期と、このときの現像剤の交換時期を比較する。そして、クリーニングブレード２２６の交換時期と現像剤の交換時期との差が所定値以下（交換時期が逆転する場合を含む）となる場合に、交換時期を同時期にできると判定する。
【０１２８】
クリーニングブレード２２６の交換時期を現像剤の交換時期に合わせられる場合（ステップＳ２１０で“ＹＥＳ”）、ステップＳ２１１の処理に移行する。クリーニングブレード２２６の交換時期を現像剤の交換時期に合わせられない場合（ステップＳ２１０で“ＮＯ”）、ステップＳ２０３の処理に移行する。クリーニングブレード２２６の交換時期を現像剤の交換時期に合わせられない場合は、トナー排出タイミングは変更されず、いままでと同じトナー排出タイミングでトナー排出が行われることとなる。
【０１２９】
ステップＳ２１１において、制御部３０は、クリーニングブレード２２６の交換時期が、現像剤の交換時期に合うように、トナー排出タイミング（第２のトナー排出タイミング）を設定する。例えば、初期のトナー排出タイミングを基準として、トナー排出タイミングを段階的に早くしたときの現像剤及びクリーニングブレード２２６の交換時期を推定する。そして、現像剤の交換時期（寿命）とクリーニングブレード２２６の交換時期（寿命）が最も近くなる場合を、次回のトナー排出タイミングとして決定する。
【０１３０】
表２は、トナー排出タイミングを段階的に早めたときの現像剤及びクリーニングブレード２２６の推定交換時期の一例である。表２では、現像剤の残り寿命が４００ｋｐとなった時点、すなわち、現像剤を交換してからの通算印刷枚数が８００ｋｐとなった時点で、トナー排出タイミングの変更を行う場合について示している。また、表２では、過去の実績から、５％の目標カバレッジを達成するのに、排出カバレッジの平均が３％である場合（原稿カバレッジの平均が２％である場合）について示している。
【０１３１】
【表２】
2019159255.tif 000004
【０１３２】
表２では、初期のトナー排出タイミング、すなわち印刷枚数が１０００ｋｐに到達した時点を基準として、トナー排出タイミングを１０ｋｐずつ早めたときの、現像剤とクリーニングブレード２２６の交換時期を示している。
【０１３３】
表２によると、印刷枚数が１０００ｋｐに到達した時点で次回のトナー排出を行う場合、現像剤の交換時期は１２００ｋｐ印刷時点となり、クリーニングブレード２２６の交換時期は１０４０ｋｐ印刷時点となる。これに対して、トナー排出タイミングを早めた場合、現像剤の交換時期は早くなり、クリーニングブレード２２６の交換時期は遅くなる。
【０１３４】
表２において、印刷枚数が９１０ｋｐに到達した時点で次回のトナー排出を行った場合に、現像剤の交換時期とクリーニングブレード２２６の交換時期が最も近くなる。したがって、図９のステップＳ２１１では、９１０ｋｐ印刷時点が、次回のトナー排出タイミングとして設定される。
【０１３５】
図９のステップＳ２１１において、トナー排出タイミングが変更されると、印刷枚数が９１０ｋｐに到達した時点で次回のトナー排出が実施される。このときの現像剤及びクリーニングブレード２２６の性能直線を図１０Ａ、図１０Ｂに示す。図１０Ａ、図１０Ｂでは、トナー排出タイミングを変更した場合の性能直線を実線で示し、トナー排出タイミングを変更しない場合の性能直線を点線で示している。図１０Ａ、図１０Ｂに示すように、トナー排出タイミングを変更した場合、現像剤とクリーニングブレード２２６の交換時期が同時期となっており、両方を同時に交換することができるので、保守コストを大幅に低減することができる。
【０１３６】
なお、図１０Ａ、図１０Ｂに示すように、トナーリフレッシュモードによるトナー排出の実施間隔が短くなる、すなわち、初期のトナー排出タイミングより早くトナー排出が行われると、トナー排出量は少なくなる。したがって、トナー帯電量の回復は小さく、クリーニングブレード２２６のクリーニング性能の低下も小さくなる。
【０１３７】
このように、画像形成装置１は、第２のトナー排出タイミングでジョブ間において実行されるトナーリフレッシュモード（第２のトナー排出モード）を有する。制御部３０は、クリーニングブレード２２６の交換時期が現像剤の交換時期と合うように、トナーリフレッシュモードにおける第２のトナー排出タイミングを変更する。
【０１３８】
トナーリフレッシュモードでは、トナー排出タイミングを変更して、クリーニングブレード２２６の交換時期を延ばすとともに、現像剤の交換時期を早めることにより、クリーニングブレード２２６の交換時期を現像剤の交換時期に合わせることができる。これにより、現像剤とクリーニングブレード２２６の交換時期が同時期となり、現像剤とクリーニングブレード２２６を同時に交換することができるので、ランニングコストを低減することができる。
【０１３９】
なお、現像剤だけに着目すると、交換時期が早くなるので、現像剤コストが増大することになるが、交換のためのサービスマンの訪問回数が１回で済み保守コストを低減できることを考慮すると、トータルのランニングコストを低減できることになる。
【０１４０】
上述したように、現像剤の交換時期とクリーニングブレード２２６の交換時期との差が最も小さくなるように次回のトナー排出タイミングを設定した場合に、ランニングコストの低減効果は最大となる。ただし、次回のトナー排出タイミングを初期のトナー排出タイミングよりも早めて、現像剤の交換時期とクリーニングブレード２２６の交換時期を近づけるだけでも、交換時期が早くなることによる現像剤コストの増大分より、現像剤とクリーニングブレード２２６を同時に交換することによる保守コストの低減分が大きければ、ランニングコストを低減することができる。
【０１４１】
上述した例では、現像剤の残り寿命が４００ｋｐとなった時点で、トナー排出タイミングの変更を行っているが、トナー排出タイミングの変更処理を実行する時期を分散してもよい。
【０１４２】
このように、画像形成装置１は、トナー像を担持する中間転写ベルト２２１（像担持体）と、トナー及びキャリアを含む二成分系の現像剤を収容し、中間転写ベルト２２１にトナーを供給する現像装置２１２（現像部）と、中間転写ベルト２２１上のトナー像を用紙に転写する二次転写部（転写部）と、中間転写ベルト２２１上に残存するトナーを除去するクリーニングブレード２２６と、トナー排出条件に従って、現像装置２１２におけるトナー排出動作を制御する制御部３０と、を備える。制御部３０は、クリーニングブレード２２６の交換時期が、現像剤（他の消耗品）の交換時期と合うように、トナー排出条件を設定する。
【０１４３】
画像形成装置１によれば、クリーニングブレード２２６の交換時期を現像剤の交換時期に合わせることができるので、保守コストを大幅に低減することができ、画像形成装置１のランニングコストを低減することができる。
【０１４４】
以上、本発明者によってなされた発明を実施の形態に基づいて具体的に説明したが、本発明は上記実施の形態に限定されるものではなく、その要旨を逸脱しない範囲で変更可能である。
【０１４５】
例えば、実施の形態では、トナー排出条件を変更することにより、クリーニングブレード２２６の交換時期を現像剤の交換時期に合わせる場合について説明したが、クリーニングブレード２２６の交換時期を他の消耗品（例えば、帯電装置２１４の帯電極）の交換時期に合わせるようにしてもよい。不具合等で現像剤を途中で交換した場合等、現像剤とクリーニングブレード２２６の交換時期が大きくずれている場合、現像剤とクリーニングブレード２２６の交換時期を合わせることは困難となるが、クリーニングブレード２２６の交換時期を他の消耗品の交換時期に合わせることにより、保守コストを大幅に低減することができる。
【０１４６】
また例えば、実施の形態では、現像剤の交換時期までの期間（残り寿命）が所定値となった場合に、トナー排出条件（トナー排出量又はトナー排出タイミング）の変更処理を行っているが、クリーニングブレード２２６の交換時期までの期間が所定値となった場合に、トナー排出条件の変更処理を行うようにしてもよい。
【０１４７】
実施の形態では、中間転写方式のカラー画像形成装置に本発明を適用した場合について説明したが、直接転写方式の画像形成装置やモノクロ画像形成装置に本発明を適用することもできる。なお、直接転写方式の画像形成装置においては、感光ドラムが像担持体に相当する。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４９】
１  画像形成装置
１１  画像読取部
１２  操作表示部
１３  画像処理部
１４  給紙部
１５  排紙部
１６  用紙搬送部
２０  画像形成部
２１  トナー像形成部
２２  中間転写部
２３  定着部
３０  制御部
２１２  現像装置（現像部）
２２１  中間転写ベルト（像担持体）
２２６  クリーニングブレード（クリーニング部材）
【図１】
2019159255.tif 000005
【図２】
2019159255.tif 000006
【図３】
2019159255.tif 000007
【図４】
2019159255.tif 000008
【図５】
2019159255.tif 000009
【図６】
2019159255.tif 000010
【図７】
2019159255.tif 000011
【図８】
2019159255.tif 000012
【図９】
2019159255.tif 000013
【図１０】
2019159255.tif 000014